(57)【特許請求の範囲】
【請求項１】
門扉の外枠部にその門扉の厚みの範囲内に設けられた錠ケースと、上記錠ケースから突没するラッチヘッドと、上記ラッチヘッドを突出方向へ付勢する付勢手段と、上記錠ケースから突出し上記門扉の厚みの範囲内に位置し上記ラッチヘッドを操作するレバーが設けられていることを特徴とする門扉用錠。
【請求項２】
上記錠ケースは、上記門扉の外枠部の一部が切り欠かれた取付部に設けられるとともに、上記取付部に固定され上記門扉の垂直方向の一側面に開口部を有し、上記錠ケースの開口部に取り付けられ透孔を有する前板の上記透孔から上記ラッチヘッドが突没することを特徴とする請求項１記載の門扉用錠。
【請求項３】
上記錠ケースは、上記門扉の外枠部の互いに対向する垂直方向の側面であって上記門扉表裏面と垂直な側面に貫通した挿通孔間の空間に挿入されて設けられ、上記錠ケースの開口部に取り付けられ上記挿通孔に重なる透孔を有する前板の上記透孔から上記ラッチヘッドが突没することを特徴とする請求項１記載の門扉用錠。
【請求項４】
門扉の垂直方向外枠部に収納可能な錠ケースと、上記錠ケースから突没するラッチヘッドと、上記ラッチヘッドを突出方向へ付勢する付勢手段と、上記錠ケースから突出し上記門扉の厚みの範囲内に位置し上記ラッチヘッドを操作するレバーを備えた門扉用錠を設け、この門扉用錠を、上記門扉の外枠部の垂直方向側面に形成された挿通孔に挿通し、上記錠ケースを上記外枠部内に嵌合させ、上記門扉の厚みの範囲内に上記門扉用錠を取り付けることを特徴とする門扉用錠の組み付け方法。
【発明の詳細な説明】
【０００１】
【発明の属する技術分野】
この発明は、支柱や塀に取り付けられる門扉と門扉用錠ならびに門扉用錠の組み付け方法に関する。
【０００２】
【従来の技術】
従来、一戸建て住宅の門やマンションの各戸の通路側に設けられる門扉は、所定形状の外枠部を有しこの外枠部の内側に桟状部が形成された構造であった。そして門扉の外枠部の、縦方向の一側縁部は蝶番を介して門柱や塀に取り付けられていた。また、門扉の他方の外枠部には、門扉用錠が取り付けられ、この門扉用錠は、外枠部に固定され上記門扉の側面から外側に突出した状態で錠ケースや開閉用のレバーが取り付けられていた。この錠ケースは、門柱等に設けられた受け部に対面する側面に開口部を有し、上記錠ケース内には開口部から一部が突没するラッチボルトが収容され、上記ラッチボルトを操作するレバーが上記錠ケースから一部が突出して設けられていた。
【０００３】
【発明が解決しようとする課題】
上記従来の技術の場合、錠ケースとレバーは門扉の外側、つまり門扉の厚み方向の幅よりも外側に突出して取り付けられているため、狭い通路では門扉のレバーが通行人の邪魔になり、さらには服に引っかかることがあった。また、門扉を勢いよく開けると門扉のレバーが塀やマンションの通路の壁等にぶつかり、レバーが傷ついたり塀や壁を損傷することがあった。さらに、門扉の表裏面両方に錠ケースとレバーを取り付けていたため、錠ケースが大型化したりレバー等の部材が二つ必要である等コストアップの原因にもなっていた。
【０００４】
この発明は上記従来の問題点に鑑みてなされたものであり、門扉のレバー等が通行の妨げとならず、部品点数が少なくコストや組み立て工数も削減することができる門扉と門扉用錠ならびに門扉用錠の組み付け方法を提供することを目的とする。
【０００５】
【課題を解決するための手段】
この発明は、所定形状の外枠部を有し上記外枠部の内側に桟状部が一体に形成された門扉において、上記外枠部の垂直方向の一側面に、上記門扉の厚みの範囲内に収容された門扉用錠が設けられている門扉である。上記門扉は、鋳物等で形成され、上記門扉用錠をその取付部に取り付けた状態で、表裏が対称に形成される。さらに、上記門扉の外枠部の垂直方向の一部が切り欠かれて、上記門扉用錠の取付部が設けられているものである。または、上記門扉はアルミニウム押し出し形材等で形成され、その外枠部の垂直方向の互いに対向する側面であって上記門扉表裏面と垂直な側面に貫通した挿通孔が形成され、この挿通孔間の空間に上記門扉用錠が設けられているものである。
【０００６】
即ちこの発明は、門扉の外枠部にその門扉の厚みの範囲内に設けられた錠ケースと、上記錠ケースから突没するラッチヘッドと、上記ラッチヘッドを突出方向へ付勢する付勢手段と、上記錠ケースから突出し上記門扉の厚みの範囲内に位置し上記ラッチヘッドを操作するレバーが設けられている門扉用錠である。上記錠ケースは、上記門扉の外枠部の一部が切り欠かれた取付部に設けられるとともに、上記取付部に固定され上記門扉の垂直方向の一側面に開口部を有し、上記錠ケースの開口部に取り付けられ透孔を有する前板の上記透孔から上記ラッチヘッドが突没するものである。また、上記錠ケースは、上記門扉の外枠部の互いに対向する垂直方向の側面であって上記門扉表裏面と垂直な側面に貫通した挿通孔間の空間に挿入されて設けられ、上記錠ケースの開口部に取り付けられ上記挿通孔に重なる透孔を有する前板の上記透孔から上記ラッチヘッドが突没するものである。
【０００７】
またこの発明は、門扉の垂直方向外枠部に収納可能な錠ケースと、上記錠ケースから突没するラッチヘッドと、上記ラッチヘッドを突出方向へ付勢する付勢手段と、上記錠ケースから突出し上記門扉の厚みの範囲内に位置し上記ラッチヘッドを操作するレバーを備えた門扉用錠を設け、この門扉用錠を、上記門扉の外枠部の垂直方向側面に形成された挿通孔に挿通し、上記錠ケースを上記外枠部内に嵌合させ、上記門扉の厚みの範囲内に上記門扉用錠を取り付ける門扉用錠の組み付け方法である。
【０００８】
この発明の門扉は、門扉用錠がほぼ門扉の厚みの範囲内に設けられ、しかも門扉の内外どちらからでも、門扉の外枠部と桟状部の間等に手を入れてレバーを操作することができるものである。
【０００９】
【発明の実施の形態】
以下、この発明の実施形態について図面に基づいて説明する。図１〜図１９はこの発明の第一実施形態を示すもので、この実施形態の門扉１０は、所定形状の金属製の外枠部１２を有し、外枠部１２に囲まれた内側には桟状部１４が所定構造で複数本設けられている。この外枠部１２と桟状部１４とは、一体に鋳物等で形成されたものである。外枠部１２の垂直方向である縦方向に位置する一側縁部には、門扉用錠１６が取り付けられ、門扉用錠１６は、図２に示すように、門扉１０の外枠部１２の内側側面１２ａに取り付けられる錠ケース１８が設けられている。錠ケース１８は、図４（ａ）、（ｂ）に示すケース本体２０と、図６（ａ）、（ｂ）、（ｃ）に示すケース蓋部２２とで構成されている。
【００１０】
ケース本体２０は、図４，図５に示すように、略半円形の板状の底部２４が形成され、底部２４の一側縁部の直線で形成された部分を側縁部２４ａとする。底部２４の周縁部には、側縁部２４ａを含むほぼ半周に側面２６が立設され、残りの半周には側面２６よりも高さの低い側面２７が、側面２６に連続して形成されている。側縁部２４ａの両端部には、直線状の側縁部２４ａに設けられた平面状の側面２６ａの延長上に位置した板状の取付部２８が各々設けられている。取付部２８の中央には、ネジ穴３０が側面２６と直交する方向に各々形成されている。
【００１１】
そして側面２６の、取付部２８に隣接する部分には、側面２６に対してほぼ直角に外側へ突出し底面２４と平行な板状の取付部３２が設けられている。取付部３２は、取付部２８に対してほぼ直角に位置し、取付部３２の中央には透孔３４が設けられている。また、側面２６，２７の上端面は、外周側が高く内周側が低い段部３６が一周して形成されている。側面２６の内側には、底部２４の側縁部２４ａに対してほぼ並行に壁部３８が、側面２６の内側の段部３６の上端面と同じ高さに、底部２４に対して直角に設けられている。そして、壁部３８の、側面２６に連続する基端部付近には、前述のケース蓋部２２をネジで固定するネジ穴３９が各々形成されている。
【００１２】
側面２６，２７と、底部２４で囲まれた空間は壁部３８により二分割され、側面２６ａを含む側面２６と壁部３８で囲まれたラッチボルト収容部４０と、側面２６の一部と側面２７と壁部３８で囲まれたレバー収容部４２とが形成される。壁部３８の一部には所定幅の矩形の切欠部４４が形成され、切欠部４４は壁部３８の高さの途中まで設けられ、壁部３８の端縁部付近は残されている。
【００１３】
側面２６ａのラッチボルト収容部４０に対向する部分には、後述するラッチボルト６２が突没する開口部４１が形成されている。また、側面２７のレバー収容部４２に対向する部分には、後述するレバー７２が挿入される矩形の切欠部４６が形成され、切欠部４６は側面２７の高さの途中まで設けられ、側面２７の下端部付近は切り残されている。そして、側面２７の切欠部４６近傍に、ネジ用の透孔４８が形成されている。レバー収容部４２の中央付近には底部２４に円筒状の凹部５０が形成されている。
【００１４】
次に、錠ケース１８のケース蓋部２２について説明する。ケース蓋部２２は、図６、図７に示すように、ケース本体２０の底部２４とほぼ同じ形状の上面板５２が設けられ、ケース本体２０の一対のネジ穴３９に対向する部分にネジ用の透孔５３が形成されている。上面板５２の裏面、つまりケース本体２０に当接する面には、ケース本体２０に設けられた低い側面２７に対向する部分に、側面２７に当接して隣接する側面５１が形成されている。
【００１５】
上面板５２の裏面の周縁部と、側面５１の先端面には、外周側が上面板５２の厚さ方向が薄い段部５４が一周して形成されている。そして、上面板５２の裏面には、ケース本体２０の側面２７に形成された透孔４８付近に対向する部分に、側面２７の内側に当接する取付部５６が上面板５２に対してほぼ直角に設けられている。取付部５６には、透孔４８に対向する位置にネジ穴５８が形成されている。上面板５２の表面には、図６（ａ）において右側約半分の外部に露出する部分に化粧塗装６０が施されている。
【００１６】
錠ケース１８の内側には、図８，図９に示すラッチボルト６２が、ケース本体２０のラッチボルト収容部４０に設けられている。ラッチボルト６２には、ケース本体２０の開口部４１から突没するラッチヘッド６４が設けられ、ラッチヘッド６４は一側面が長細い矩形で、その矩形の長手方向に対して平行な一つの角部が斜めに切り取られた形状で斜面６６を形成している。ラッチボルト６２の斜面６６と対向する面に、丸棒状の保持部６８が取り付けられ、保持部６８の先端にフランジ部７０が一周して設けられている。
【００１７】
そして、錠ケース１８の内側には、図１０〜図１２に示すレバー７２が、ケース本体２０のレバー収容部４２に設けられている。レバー７２は、わずかに湾曲した棒状の操作部７４が設けられ、操作部７４の一端部に筒状の軸受部７６が一体に形成されている。軸受部７６の一側面には、操作部７４の突出方向に対してほぼ直角に突出する係止突起７８が一体に形成されている。係止突起７８には、操作部７４の突出方向に対して平行に貫通して溝部８０が形成されている。溝部８０の断面形状はＵ字形で、溝部８０の底部は、操作部７４から離れるに従い係止突起７８の先端から遠くなる方向に傾斜している。操作部７４の基端部付近には、図１０において紙面表側に突出する突部８２が設けられている。
【００１８】
次に、門扉１０の、錠ケース１８が取り付けられる外枠部１２について説明する。図１３は、門扉１０の外枠部１２を、図１において左から見た側面図で、図１４は、門扉１０の外枠部１２を正面から見た図である。これに示すように、外枠部１２は錠ケース１８が取り付けられる部分が切除された形状に鋳物により一体に形成されたものであり、切除された外枠部１２の一対の端部は、外枠部１２の側面１２ｂ、１２ｃから各々わずかに突出する囲み部８４が形成されている。また、外枠部１２の内側の桟状部１４も外枠部１２と一体に鋳物により形成されている。囲み部８４は、図１４に示すようにＬ字型に形成されている。囲み部８４の内側には、外枠部１２の一対の側面１２ｂ、１２ｃの中間付近に位置する面を有する取付部８６が各々形成されている。取付部８６の中心には所定深さのネジ穴８８が形成されている。そして、外枠部１２の側面１２ｂには、外枠部１２の端部同士を連結する薄板状の連結部９０が設けられている。
【００１９】
次に、錠ケース１８を覆って門扉１０に取り付けられる前板９２について説明する。前板９２は、図１５に示すように、コの字形に折り曲げられている矩形で中央の面９２ａの、上方寄りの中心に、ラッチヘッド６４が突没する透孔９４が形成されている。透孔９４の上下には、ネジ用の透孔９６が各々設けられている。
【００２０】
次にこの実施形態の門扉用錠１６の組み立て構造及び方法について説明する。まず、図１６に示すようにケース本体２０のラッチボルト収容部４０内にラッチボルト６２を入れる。このとき、ラッチボルト６２の保持部６８は、ケース本体２０の壁部３８に形成された切欠部４４に挿通され、保持部６８先端はレバー収容部４２に位置している。そしてラッチボルト６２の保持部６８には付勢手段であるコイルスプリング９８がはめられ、コイルスプリング９８の端部はケース本体２０の壁部３８に当接し、ラッチボルト６２はケース本体２０の外側へ向かって付勢されている。保持部６８のフランジ部７０が壁部３８のレバー収容部４２側の面に当接し、ラッチボルト６２が保持されている。
【００２１】
そして、レバー収容部４２内にレバー７２を入れる。このとき、レバー７２の操作部７４はケース本体２０の切欠部４６から外側に突出し、レバー７２の固定部７６は軸部材１００を介してケース本体２０の底部２４に形成された凹部５０に嵌合されている。軸部材１００の一端部には、つるまきバネ１０２が設けられている。つるまきバネ１０２の両端部は互いに所定角度に位置し、つるまきバネ１０２の一端部はレバー７２の突部８２に当接し、つるまきバネ１０２の他端部はケース本体２０の壁部３８に当接し、図面においてレバー７２を反時計回りに付勢している。また、ラッチボルト６２の保持部６８先端は、レバー７２の係止突起７８に形成された溝部８０に挿通され、フランジ部７０は係止突起７８に当接して係止されている。
【００２２】
このようにラッチボルト６２とレバー７２をセットしたケース本体２０に、ケース蓋部２２を取り付ける。まず、ケース蓋部２２の段部５４をケース本体２０の段部３６と組み合わせる。このときケース蓋部２２の透孔５３とケース本体２０のネジ穴３９が一致し、透孔５３とネジ穴３９を合わせて図示しないネジで固定し、ケース蓋部２２をケース本体１８に取り付け錠ケース１８ができる。
【００２３】
次に、錠ケース１８を外枠部１２に取り付ける。まず、外枠部１２の一対の取付部８６にケース本体２０の取付部３２を各々当接し、このとき外枠部のネジ穴８８とケース本体２０の透孔３４が一致する。そして、図１７に示すようにネジ穴８８と透孔３４をネジ１０４で固定する。さらに、外枠部１２の連結部９０と、錠ケース１８の外側に、前板９２を取り付ける。前板９２の一対の透孔９６と、ケース本体２０の取付部２８に形成されたネジ穴３０を一致させ、ネジで固定する。
【００２４】
このように組み立てられた門扉用錠１６は、図２に示すように外枠部１２の囲み部８４の内側に前板９２が位置し、錠ケース１８の一部が、外枠部１２の内側側面１２ａに隣接している。レバー７２の操作部７４は、内側側面１２ａに対して直角に、つまり門扉１０内側に向かって設けられる。そして、レバー７２と錠ケース１８、前板９２は、囲み部８４の厚み方向の幅に収まり、門扉１０の厚みの範囲内に位置している。
【００２５】
また、図１に示すように、両開きの門扉１０の場合は、同形の門扉１０を表裏反対にして隣接して設け、一方の門扉１０に、ラッチボルト６２が差し込まれる受け座１０６を取り付ける。一対の門扉１０は、門扉用錠１６の取り付け位置が互いに対向するため、受け座１０６は、錠ケース１８と前板９２で作ることができる。片開きの場合は、図１９に示すように門扉１０が閉じられる部材に受け座１０６を設ける。
【００２６】
次に、この実施形態の門扉用錠１０の動作作用について説明する。門扉１０を開けるときは、レバー７２の操作部７４を押し下げてレバー７２の係止突起７８が回動するとともにラッチボルト６２のラッチヘッド６４をケース本体２０内に退避させ、受け座１０６との係合を解除する。また、門扉１０を閉めるときは、門扉１０を隣接する門扉１０に向かって閉じてゆくと、ラッチヘッド６４の斜面６６が受け座１０６の側面に当接する。さらに門扉１０を閉めるとコイルスプリング９８が弾性変形されてラッチヘッド６４がケース本体２０内に押し込まれ、門扉１０が閉じる。門扉１０が所定位置に閉じてラッチヘッド６４と受け座１０６が一致するとラッチヘッド６４はコイルスプリング９８に押されて突出し、受け座１０６に差し込まれる。
【００２７】
この実施形態の門扉１０と門扉用錠１６によれば、レバー７２等が門扉１０の厚みの幅内に位置するため、狭い場所に門扉１０を設けたときにも通行人の服、特にポケット等にレバー７２の操作部７４がひっかかる事がなく、安全に円滑に通行することができる。また、門扉１０が開いて塀やマンションの通路の壁にぶつかったとき、門扉１０の外枠部１２全体が当接し、レバー７２が傷ついたり塀や壁を損傷することがない。さらに、レバー７２は門扉１０の内側に位置し門扉１０の両側から操作することができるため、門扉１０の両側にそれぞれレバー７２を設ける必要がなく構造を簡略化することができる。しかも、レバー７２が一つで良く、部品が少なく、組み立て工程が簡単で、コストダウンが可能である。また、受け座１０６の部品は、門扉用錠１６の前板９２等を使用することができ、このことからもコストを抑えることができる。門扉１０の構成も表裏で対称にしておくことにより、一つの門扉で開き方向を左右何れにも対応することができ、片開きまたは両開きの選択も一種類の門扉で対応可能となる。
【００２８】
次にこの発明の第二実施形態について図２０〜図２６を基にして説明する。ここで、上記実施形態と同様の構成は同一の符号を付して説明を省略する。この実施形態の門扉１１０は、外枠部１１２がアルミニウム押し出し形材により形成されているものである。アルミニウム押し出し形材は、中空の断面一定の構造材である。同様に桟状部１１４もアルミニウム押し出し形材により形成され、これらの形材を縦横に組んで門扉１１０を構成している。
【００２９】
この実施形態の門扉１１０は、図２１，図２２に示すように、門扉用錠１６の錠ケース１８が外枠部１１２の縦框１１２ａ内に収納されているものである。縦框１１２ａは、図２３〜図２５（ａ），（ｂ）に示すように、断面が略ロ字状であり、門扉１１０の表裏面と垂直の側面には、長手方向に凹部１１６が各々形成され、この側面の凹部１１６の底面であって、門扉１１０の底面から所定の高さの位置に、反対側の側面の凹部１１６まで貫通して各凹部１１６に挿通孔１１８，１１９が形成されている。挿通孔１１８，１１９は互いに対向し定置し、この挿通孔１１８，１１９の間の空間と外部とを連通させている。そして、この挿通孔１１８，１１９間に錠ケース１８が収容されている。また、縦框１１２ａの他方の２側面には、挿通孔１１８，１１９に連通する空間と交差するように透孔１２２が各々形成されている。透孔１２２には、門扉１１０の施錠を行う錠１２４が取り付けられる。錠１２４の家屋側の面には、手動操作用のつまみ１２６が設けられている。
【００３０】
錠ケース１８は、図２６に示すケース本体１２０と図示しないケース蓋部とからなり、上記第一実施形態と同様に、ラッチボルト６２を収容し、操作用のレバー７２の一端部が揺動可能に取り付けられる。このケース本体１２０は、図２６に示すように、四角形の箱状に形成され、上記実施形態のケース本体２０と同様の構成を備えている。そして、箱状の両端部には、縦框１１２ａに取り付ける取付部１２８が上下方向に突出して設けられている。各取付部１２８には、端部側に縦框１１２ａにねじ止めする透孔１３０が形成され、透孔１３０の各内側に前板１３２を止めるネジ穴１３４が各々形成されている。また、ケース本体１２０の角部近傍には、錠１２４を取り付ける透孔１３６が形成されている。
【００３１】
また、上記実施形態と同様に、側面２６の内側には、一側面の開口部４１に対してほぼ並行に壁部３８が底部２４に対して直角に設けられている。そして、壁部３８の、側面２６に連続する端部付近には、図示しないケース蓋部をネジで固定するネジ穴３９が各々形成されている。
【００３２】
この錠ケース１８に取り付けられるラッチボルト６２及びレバー７２等は上記実施形態と同様の部材であり、同様に組み立てられている。そして、この門扉用錠の組み付け方法は、錠ケース１８にラッチボルト６２、レバー７２等を装着し、レバー７２の操作部７４を縦框１１２ａの挿通孔１１８側から挿通し、操作部７４を挿通孔１１９側から突出させる。この状態で、上下の取付部１２８の各透孔１３０にネジ１４０を挿通し、各ネジ１４０を縦框１１２ａのネジ孔１４２に各々螺合させる。さらに、前板１３２の透孔にラッチヘッド６４が挿通するようにして、前板１３２をケース本体１２０にネジ止めする。さらに、縦框１１２ａの透孔１１９側の面に、樹脂製の受け部材１４２を挿通孔１１９に取り付け、錠ケース１８の端面部を保持する。そして、後板１４４をネジ１４０を縦框１１２ａのネジ孔１４６に螺合させて固定する。
【００３３】
この実施形態の門扉用錠１１０も、図２０に示すように、門扉１１０の互いに対向する縦框１１２ａの一方に門扉用錠１１０を設け、他方には、図２１に示すように、ラッチヘッド６４の嵌合部を設ける。この嵌合部は、錠ケース１８や前板１３２を流用するようにしてラッチヘッドなしでレバー７２を取り付けたものである。これにより、特別の部品を用いることなく外観上対称な配置にすることができる。
【００３４】
この実施形態の門扉用錠によれば、形材から成る外枠部１１２の縦框１１２ａに錠ケース１８を収容し、縦框１１２ａの一側面から門扉１１０の厚さの範囲内でレバー７２を突出させることができ、門扉１１０の表裏面に突出部がなく、レバー７２等の引っかかりがなく外観上も好ましいものとすることができる。さらに、この門扉用錠１１０の組み付け方法は、形材の縦框１１２ａに錠ケース１８を挿通させネジ止めするだけで良く、簡単に門扉１１０への取り付けがなされるものである。
【００３５】
なお、この発明の門扉と門扉用錠は、上記実施形態に限定されるものではなく、レバーや錠ケース、ラッチボルト等各部材の形状は、自由に変更可能である。
【００３６】
【発明の効果】
この発明の門扉と門扉用錠は、レバーがコンパクトで狭い場所に設けても引っかかることがなく通行等の妨げとなることがない。また、門扉の表裏の両方から一つの操作レバーを操作することができるため、レバーを複数個設ける必要がなく、部品点数が少なくコストを抑えることができる。さらに、この発明の門扉用錠の組み付け方法は、門扉への組付けが容易であり、施工及び取り替え等の工数及びコストを削減することができる。
【図面の簡単な説明】
【図１】  この発明の第一実施形態の門扉と門扉用錠の正面図である。
【図２】  この実施形態の門扉用錠の正面図である。
【図３】  この実施形態の門扉用錠の縦断面図である。
【図４】  この実施形態の門扉用錠のケース本体の正面図（ａ）と、右側面図（ｂ）である。
【図５】  図４（ａ）のＡ−Ａ線横断面図である。
【図６】  この実施形態の門扉用錠のケース蓋部の正面図（ａ）、右側面図（ｂ）、底面図（ｃ）である。
【図７】  図６（ａ）のＢ−Ｂ線横断面図である。
【図８】  この実施形態の門扉用錠のラッチボルトの正面図である。
【図９】  この実施形態の門扉用錠のラッチボルトの底面図である。
【図１０】  この実施形態の門扉用錠のレバーの正面図である。
【図１１】  この実施形態の門扉用錠のレバーの底面図である。
【図１２】  この実施形態の門扉用錠の左側面図である。
【図１３】  この実施形態の門扉用錠の外枠部の右側面図である。
【図１４】  この実施形態の門扉用錠の外枠部の正面図である。
【図１５】  この実施形態の門扉用錠の前板の左側面図（ａ）、正面図（ｂ）、底面図（ｃ）である。
【図１６】  この実施形態の門扉用錠の組立状態を示す正面図である。
【図１７】  この実施形態の門扉用錠の門扉に取り付けた状態の底面図である。
【図１８】  この実施形態の門扉用錠の門扉に取り付けた状態の横断面図である。
【図１９】  この実施形態の門扉と門扉用錠の斜視図である。
【図２０】  この発明の第二実施形態の門扉と門扉用錠の斜視図である。
【図２１】  この実施形態の門扉用錠の正面図である。
【図２２】  この実施形態の門扉用錠の底面図である。
【図２３】  この実施形態の門扉の縦框の正面図である。
【図２４】  図２３のＣ−Ｃ線断面図である。
【図２５】  この実施形態の門扉の縦框の左側面図（ａ）と右側面図（ｂ）である。
【図２６】  この実施形態の門扉用錠のケース本体の左側面図（ａ）と正面図（ｂ）である。
【符号の説明】
１０  門扉
１２  外枠部
１６  門扉用錠
１８  錠ケース
２０  ケース本体
２２  ケース蓋部
３８  壁部
４０  ラッチボルト収容部
４１  開口部
４２  レバー収容部
５２  上面板
５６  取付部
６０  化粧塗装
６２  ラッチボルト
６４  ラッチヘッド
７２  レバー
７４  操作部
８４  囲み部
８６  取付部
９２  前板
９４  透孔
９８  コイルスプリング
【図１】
0004429448.tif 000002
【図２】
0004429448.tif 000003
【図３】
0004429448.tif 000004
【図４】
0004429448.tif 000005
【図５】
0004429448.tif 000006
【図６】
0004429448.tif 000007
【図７】
0004429448.tif 000008
【図８】
0004429448.tif 000009
【図９】
0004429448.tif 000010
【図１０】
0004429448.tif 000011
【図１１】
0004429448.tif 000012
【図１２】
0004429448.tif 000013
【図１３】
0004429448.tif 000014
【図１４】
0004429448.tif 000015
【図１５】
0004429448.tif 000016
【図１６】
0004429448.tif 000017
【図１７】
0004429448.tif 000018
【図１８】
0004429448.tif 000019
【図１９】
0004429448.tif 000020
【図２０】
0004429448.tif 000021
【図２１】
0004429448.tif 000022
【図２２】
0004429448.tif 000023
【図２３】
0004429448.tif 000024
【図２４】
0004429448.tif 000025
【図２５】
0004429448.tif 000026
【図２６】
0004429448.tif 000027